(57)【要約】【課題】装着されるメモリカードの形状に近づく形状となるように、より小型化を実現すること。【解決手段】カードコネクタ１００は、挿入口１０１を介して挿入されるメモリカード２０を収容する収容部１０５を備えるハウジング１１０と、収容部１０５に収容されるメモリカード２０によって開閉するＷＰ検知スイッチ２００とを有する。ＷＰ検知スイッチ２００は、収容部１０５に収容されるメモリカード２０とメモリカードの厚み方向で対向する底板部１１２に設けられる固定端子２３０と、底板部１１２に、メモリカード２０の挿入方向に沿って設けられ、且つ、挿入されるメモリカード２０の押圧によりメモリカードの２０の厚み方向に可動して固定端子２３０に接触する可動端子２１０とを備える。【選択図】図３
2012204318.tif 000002
【特許請求の範囲】
【請求項１】
挿入口を介して挿入されるメモリカードを収容する収容部を備えるハウジングと、
前記収容部に収容されるメモリカードによって開閉するスイッチとを有し、
前記スイッチは、
前記収容部に収容される前記メモリカードと前記メモリカードの厚み方向で対向する面部に設けられる固定端子と、
前記面部に、前記メモリカードの挿入方向に沿って設けられ、且つ、挿入される前記メモリカードの押圧により前記厚み方向に可動して前記固定端子に接触する可動端子と、
を備える、
カードコネクタ。
【請求項２】
前記メモリカードの前記挿入方向に沿う一側部には前記挿入方向に沿って延在する段差部が形成され、
前記ハウジングは、前記収容部に収容された前記メモリカードの厚み範囲内で、前記段差部に前記厚み方向で対向して配置されるレール部を備え、
前記スイッチは、前記レール部の一部を切り欠いた部位に、前記レール部の延在方向に沿って配置されている、
請求項１記載のカードコネクタ。
【請求項３】
前記可動端子は、前記面部から前記挿入方向に沿って延在して設けられ、一端部側が前記面部に支持されるとともに他端部が自由端である細長の線状又は帯状の弾性変形可能な部材からなり、
前記他端部と前記一端部との間に形成され、前記収容部内に配置されるカード接触部と、
前記他端部に形成される接点部と、
を有し、
前記接点部は、前記固定端子に対して前記厚み方向で対向配置され、前記カード接触部が、挿入される前記メモリカードにより押圧されて前記面部側に可動することより前記厚み方向に可動して前記固定端子に接触する、
請求項１又は２記載のカードコネクタ。
【請求項４】
前記接点部は、前記カード接触部の可動に伴い前記厚み方向に可動して前記固定端子に摺動する、
請求項３記載のカードコネクタ。
【請求項５】
前記メモリカードは、外面に形成された凹部内の２つの位置間でスライド可能なライトプロテクト検知用の識別片を有し、
前記カード接触部は、前記メモリカードが前記収容部に収容された際に、前記凹部内に位置するように、前記可動端子に形成されている、
請求項３記載のカードコネクタ。
【請求項６】
前記面部には、前記収容部に収容される前記メモリカードに設けられた複数の電極に対応して接触する複数のコンタクトピンが配設されている、
請求項１から５のいずれか一項に記載のカードコネクタ。
【請求項７】
前記固定端子及び前記可動端子の一端部は、各コンタクトピンの一端部とともに、前記面部において挿入方向側の端辺部に沿って立設された後端壁部を介して外方に一列に並んで突出している、
請求項６記載のカードコネクタ。
【請求項８】
前記ハウジングは、前記固定端子の側方の部位に、外方に貫通する貫通孔を有する、
請求項１から７のいずれか一項に記載のカードコネクタ。
【発明の詳細な説明】
【技術分野】
【０００１】
本発明は、基板などに実装されて、挿入されるメモリカードを基板に電気的に接続するカードコネクタに関する。
【背景技術】
【０００２】
従来からデジタルカメラなどのデータの記憶媒体として、樹脂製の薄板状の筐体を有するメモリカードが広く用いられており、種々の種類や規格の小型のメモリカードが知られている。最近では、携帯電話用のデータの記憶媒体としてもメモリカードが用いられており、非常に小型のメモリカードも市販されている。
【０００３】
メモリカードには、メモリカードへの情報の書き込みを許容し及び禁止するライトプロテクトボタン（以下、「識別片」という）が設けられているものがある。
【０００４】
この識別片は、前後に延びるメモリカードの側部に形成された凹部上を側部の長手方向に沿って移動可能に取り付けられ、凹部内でメモリカードに情報を書き込み可能な位置と、メモリカードに情報を書き込むことを禁止する位置に移動する。
【０００５】
このようなメモリカードが書き込み可能か否かを検知するため、メモリカードが挿入されるコネクタ本体に、識別片の位置を検知するライトプロテクト検知スイッチを備えるカードコネクタが知られている。
【０００６】
このライトプロテクト検知スイッチを備えるカードコネクタとして、本出願人は、特許文献１に示すカードコネクタを出願している。
【０００７】
図１は、従来のカードコネクタにおいてシールドカバーを外したハウジングを示す図である。なお、図１は、識別片を備えるメモリカードが挿入されるハウジング３において、識別片が配置されたメモリカードの側部に対向する一側壁部４に沿って配置されたＷＰ検知スイッチ２の拡大図である。
【０００８】
図１に示すカードコネクタ１のライトプロテクト検知スイッチ２は、ハウジング３の底面３ａにカードメモリカードの挿入方向Ａに沿って延在して設けられ、先端側で二股に分岐する可動端子２ａと、可動端子２ａに接触する固定端子２ｂと、を有する。
【０００９】
可動端子２における一方の分岐片の先端部２ｃは、メモリカードを収容する収容部４にメモリカードが収容され、且つ、メモリカードの凹部内で識別片が書き込み禁止位置に位置する際に、開放される領域に配置される。このとき、他方の分岐片２ｄの先端部は、側壁部４の内部空間に配置された固定端子２ｂの上部に配置される。
【００１０】
このライトプロテクト検知スイッチ２では、挿入されるメモリカードによって、一方の分岐片２ｃの先端部が押圧されると下方に移動し、これに伴い、他方の分岐片２ｄも下方に移動して、固定端子２ｂに接触し導通状態となる。
【００１１】
このカードコネクタ１では、識別片が書き込み禁止位置に位置するメモリカードが挿入された場合、一方の分岐片２ｃの先端部は、挿入されるメモリカードによって一方の分岐片の先端部は下方に移動した後、凹部内の開放される領域で復元する。これに伴い、他方の分岐片２ｄの先端部が固定端子２ｂと離間して書き込み禁止を検知する。
【００１２】
また、カードコネクタに、識別片が書き込み可能位置に位置するメモリカードが挿入された場合、メモリカード装着完了状態でも、一方の分岐片２ｃの先端部は、識別片により下方に押圧される。これに伴い、他方の分岐片２ｄの先端部は固定端子２ｂに接触した状態となり、ライトプロテクト検知スイッチ２は、書き込み禁止を検知する。
【先行技術文献】
【特許文献】
【００１３】
【特許文献１】特開２０１０−１０１０８号公報
【発明の概要】
【発明が解決しようとする課題】
【００１４】
近年、カードコネクタとしては、小型化が望まれており、特に、カードコネクタ自体の幅を極力小さくして、装着されるメモリカード幅に近づけて装着されるカード形状と略同等の形状にしたいという要望がある。図１に示す従来のカードコネクタと比較して、矢印で示す幅を極力なくして、更に、小型化を図りたいという要望があった。
【００１５】
本発明はかかる点に鑑みてなされたものであり、装着されるメモリカードの形状に近づく形状となるように、より小型化を実現できるカードコネクタを提供することを目的とする。
【課題を解決するための手段】
【００１６】
本発明のカードコネクタは、挿入口を介して挿入されるメモリカードを収容する収容部を備えるハウジングと、前記収容部に収容されるメモリカードによって開閉するスイッチとを有し、前記スイッチは、前記収容部に収容される前記メモリカードと前記メモリカードの厚み方向で対向する面部に設けられる固定端子と、前記面部に、前記メモリカードの挿入方向に沿って設けられ、且つ、挿入される前記メモリカードの押圧により前記厚み方向に可動して前記固定端子に接触する可動端子と、を備える構成を採る。
【発明の効果】
【００１７】
本発明によれば、装着されるメモリカードの形状に近づく形状となるように、より小型化を実現できる。
【図面の簡単な説明】
【００１８】
【図１】従来のカードコネクタにおけるライトプロテクトスイッチの構造の説明に供する部分拡大図
【図２】本発明の一実施の形態に係るカードコネクタに装着される一例としてのメモリカードの平面図
【図３】本発明の一実施の形態に係るカードコネクタの構成を示す斜視図
【図４】同カードコネクタの正面図
【図５】同カードコネクタの背面図
【図６】同カードコネクタの平面図
【図７】同カードコネクタの底面図
【図８】同カードコネクタの左側面図
【図９】同カードコネクタの右側面図
【図１０】同カードコネクタのハウジングを示す平面図
【図１１】同カードコネクタのライトプロテクト検知スイッチの拡大斜視図
【図１２】同カードコネクタにメモリカードが装着される際のライトプロテクトスイッチの機能を示す図
【図１３】同カードコネクタにメモリカードが装着される際のライトプロテクトスイッチの機能を示す図
【図１４】同カードコネクタにメモリカードが装着される際のライトプロテクトスイッチの機能を示す図
【図１５】同カードコネクタにメモリカードが装着される際のライトプロテクトスイッチの機能を示す図
【発明を実施するための形態】
【００１９】
以下、本発明の実施の形態について、図面を参照して詳細に説明する。
【００２０】
（メモリカード）
まず、本実施の形態のカードコネクタに装着されるメモリカードについて説明する。
図２は本発明の一実施の形態に係るコネクタに装着されるメモリカード２０を示す平面図である。
【００２１】
図２に示すように、メモリカード２０は、内部にＩＣ（図示しない）を収容した樹脂製の薄板状をなす。メモリカード２０における一方の面（裏面）の先端部には、ハウジング１１０（図３参照）の複数のコンタクトピン１４０とそれぞれ接続する電極（パッド）２１が幅方向に複数並べて配設されている。また、メモリカード２０の両側部には、一方の面（裏面）の幅が他方の面（表面）の幅よりも狭くなるように、一方の面（裏面）側で長手方向に沿って切り欠かれた段差部２２、２３が形成されている。つまり、段差部２２、２３は、カードコネクタ（メモリカードコネクタ）１００（図３参照）への挿入方向に沿って延在している。また、メモリカード２０には、段差部２２が形成された一側部（メモリカード２０からみてカードコネクタ１００に対する挿入方向を先端側とした右側部）の先端部２０ａの角部には、誤挿入防止のための面取り部２４が形成されている。
【００２２】
また、メモリカード２０において段差部２３が形成された他側部（挿入方向側を先端側とした左側部）には凹部２５が形成されている。この凹部２５内には、凹部２５内の２つの位置で、段差部２３の延在方向に沿ってスライド自在な識別片２６が設けられている。識別片２６は、凹部２５内での位置によって、カード書き込み可能及び書き込み禁止を示す識別部として機能する。この識別片２６をスライド移動させて凹部２５内の先端側の位置に位置させるとメモリカード２０への書き込みが可能な状態となる。また、識別片２６を凹部２５内の後側の位置に移動させると、凹部２５において先端側が開放され、メモリカード２０への書き込みが禁止された状態となる。図２に示すメモリカード２０は、識別片２６が凹部２５において後端側に位置するため、書き込み禁止状態となっている。
【００２３】
なお、本実施の形態のカードコネクタ１００に装着されるメモリカード２０は、メモリカードへの情報の書き込みを許容し及び禁止する識別片２６が設けられたＳＤカード（登録商標）として説明したが、これに限らず、どのような規格のメモリカードであってもよい。例えば、このメモリカード２０としては、ＰＣカード、コンパクトフラッシュ（登録商標）カード、スマートメディア、ｍｉｎｉＳＤ(Secure Digital)カード(登録商標）、ｍｉｃｒｏＳＤカード（登録商標）、メモリースティック（登録商標）等が挙げられる。また、メモリカード２０は、自由にデータの読み書きが行えるものではなく、複写が自由にできないものであってもよい。
【００２４】
また、カードコネクタ１００（図３参照）に装着されるメモリカードが上記種々の規格のメモリカードである場合、本実施の形態に係るカードコネクタのライトプロテクト（ＷＰ）検知スイッチ（後述する）は、メモリカードの挿抜を検出する挿抜検出スイッチとしてもよい。
【００２５】
（カードコネクタ）
次に、図３〜図１５を用いて本実施の形態のカードコネクタ１００について説明する。なお、図３は、カードコネクタ１００におけるシールドカバー１２０を便宜上、透過させた状態で示し、図１０は、メモリカード２０（図２参照）が装着されていない状態のハウジングを示している。また、本実施の形態におけるカードコネクタ１００では、メモリカード２０（図２参照）を挿入される挿入口１０１が開口する側を正面側として説明する。また、カードコネクタ１００は、携帯電話機、ＰＤＡ、携帯型オーディオ、カメラ等の電子機器に配設される。
【００２６】
図３に示すカードコネクタ１００は、偏平で且つ平面略矩形状であり、挿入されるメモリカード２０の形状に対応して形成されている。
【００２７】
カードコネクタ１００は、図３に示すように、コネクタ本体１０２と、コネクタ本体１０２に挿入されるメモリカード２０（図２参照）のイジェクト機構１３０と、コンタクトピン１４０と、検知スイッチ２００とを備える。なお、カードコネクタ１００の動作温度は、−２５°から９０°である。
【００２８】
なお、カードコネクタ１００は、ここでは、スタンドオフタイプのコネクタであり、図７示すように、コネクタ本体１０２の下面の四隅から下方に突出する脚部１０３を有する。また、カードコネクタ１００は、左側部１００ｂに、検知スイッチの接触状態を視認する窓部１０４（図３及び図８参照）が形成されている。
【００２９】
コネクタ本体１０２は、図３に示すように、メモリカードが挿入される挿入口１０１を有するハウジング１１０と、このハウジング１１０を覆うように、ハウジングに組合せられるシールドカバー１２０とによって構成されている。
【００３０】
図３及び図１０に示すように、ハウジング１１０は、絶縁性を有し、矩形状で且つ肉薄の底板部１１２と、底板部１１２の両側辺部から立設する両側壁部１１４、１１５と、底板部１１２において背面側の辺部（挿入方向側の端辺部）に沿って立設される後端壁部１１６とを有する。
【００３１】
これら底板部１１２、側壁部１１５、側壁部１１４側のイジェクト機構１３０、及び、後端壁部１１６は、挿入口１０１から挿入されるメモリカード２０が挿入される収容部１０５を画成する。底板部１１２は、収容部１０５に収容されるメモリカード２０とメモリカード２０の厚み方向で対向する面部である。
【００３２】
シールドカバー１２０は、ハウジング１１０の底板部１１２と対向する上板部１２３と、上板部１２３の両側部から折曲され、ハウジング１１０の両側壁部１１４、１１５を被覆する側板部１２４、１２６を有する。シールドカバー１２０は、板金を打ち抜き、プレス加工等を施すことで形成され、ハウジング１１０を上方から覆うように取り付けられる。
【００３３】
なお、ハウジング１１０に取り付けられるコンタクトピン１４０は、検知スイッチ２００とともに、ハウジング１１０を成形する際に、インサート成形によってハウジング１１０に設けられる。
【００３４】
ここでは、コンタクトピン１４０は、例えば、リン青銅の板金を加工して形成され、メモリカード２０が収容部１０５に収容された際に、メモリカード２０（図２参照）の裏面と対向する底板部１１２に配設されている。
【００３５】
コンタクトピン１４０は、ハウジング１１０の底板部１１２の後端側に幅方向に並べて配置されている。これら複数のコンタクトピン１４０は、メモリカード２０（図２参照）の下面先端部に幅方向に複数並べて配設された電極２１に対応しており、それぞれ可撓性を有し、底板部１１２から上方に突出し、上下動する接点部１４２を有する。これら接点部１４２が、挿入口１０１から挿入されるメモリカード２０（図２参照）の電極２１に押圧されることで、接点部１４２と電極２１とは対応する組同士で接触して、それぞれ電気的に接続される。
【００３６】
また、図１０に示すように、コンタクトピン１４０は、接点部１４２に連続し、カードコネクタ２００自体が装着される基板の回路に接続されるリード部１４４を有する。リード部１４４は、ハウジング１１０の後端壁部１１６から外部に水平に導出して設けられている。ここでは、リード部１４４は、幅方向に並び、それぞれ後端壁部１１６から挿入方向で突出して配置されている。
【００３７】
ハウジング１１０の底板部１１２において側壁部１１４側の側辺部には、収容部１０５側に突出するガイドレール（レール部）１１７が設けられている。また、底板部１１２において側壁部１１５側の部分であり、且つ、イジェクト機構１３０に沿う部分には、ガイドレール１１７に対向するように、収容部１０５側の突出するガイドレール１１８が設けられている。
【００３８】
これらガイドレール１１７、１１８は、ハウジング１１０の内側で、両側壁部１１４、１１５に沿って延在する。つまり、これらガイドレール１１７、１１８は、収容部１０５に収容されたメモリカード２０（図２参照）の厚み範囲内で、段差部２３、２２にメモリカードの厚み方向で対向して配置される。
【００３９】
これらガイドレール１１７、１１８は、それぞれの上面で、挿入口１０１から挿入されるメモリカード２０の両側部の段差部２２、２３を収容部１０５内へ好適に案内する。これにより、メモリカード２０が収容部１０５に収容された際に、ガイドレール１１７、１１８のそれぞれの上面上には、メモリカード２０の両側部の段差部２２、２３が配置される。これらガイドレール１１７、１１８に沿ってメモリカード２０は、ハウジング１１０内を、段差部２２、２３で摺動可能である。
【００４０】
ハウジング１１０の両側壁部１１４、１１５のうち右側壁部１１５側には、イジェクト機構１３０が配設されている。
【００４１】
イジェクト機構１３０については、従来と同様の構造をしている（例えば、特開平１１−１３５１９２号公報参照）。すなわち、イジェクト機構１３０は、メモリカード２０（図２参照）を、カードコネクタ１００に完全に挿入された挿入完了位置と、その手前の挿入位置で軽く保持するためのハーフロック位置との２箇所の位置で保持できる周知の技術である。このため、ここでは簡単に説明する。
【００４２】
イジェクト機構１３０は、メモリカードをカードコネクタ１００から排出することを容易にするために設けられている装置であって、本実施の形態では、コネクタ本体１０２の右側側壁１１５に沿って設けられている。
【００４３】
イジェクト機構１３０は、図３、図６及び図１０に示すように、スライダ１３３、バネ１３４、ハートカム１３１、連結ピン１３６、及び、連結ピン押さえ１２１を備えている。スライダ１３３は、メモリカード２０（図２参照）に当接してハウジング１１０底面（底板部１１２）上をメモリカード２０の挿抜方向に沿って往復動する。バネ１３４は、スライダ１３３を挿入口１０１側に向けて付勢する。ハートカム１３１は、スライダ１３３の往復動を規制する。連結ピン１３６では、その一端がスライダ１３３に連結され、自由端である他端がハートカム１３１に沿ってその周囲を摺動する。連結ピン押さえ１２１は、シールドカバー１２０から切り起こされてなる。なお、連結ピン押さえ１２１は、連結ピン１３６がハートカム１３１の周囲に形成される摺動溝１３７内を確実に移動し得るように連結ピン１３６を上から押える。
【００４４】
このイジェクト機構１３０の動作を説明する。メモリカード２０（図２参照）が挿入口１０１を介してカードコネクタ１００の収容部１０５内に挿入されると、メモリカード２０は、収容部１０５内に配置されているスライダ１３３に当接する。そして、メモリカード２０は、バネ１３４に抗してスライダ１３３と共に移動し、メモリカード２０の電極２１（図２参照）と収容部１０５内に配置されるコンタクトピン１４０の接点部１４２とが接触する所定位置を若干越えた位置まで押し込まれる。ここで、メモリカード２０の押し込み動作が解除されると、スライダ１３３と一緒に移動していた連結ピン１３６の自由端が、ハートカム１３１に沿って若干戻りながらハートカム１３１の図示しないくぼみ部分に係止される。これによって、メモリカード２０は、カードコネクタ１００の収容部１０５内に装着された状態を維持される。
【００４５】
メモリカード２０をカードコネクタ１００から抜くときは、メモリカード２０を若干押し込み、連結ピン１３６の自由端をハートカム１３１のくぼみ部分から脱出させる。続いて、押し込み動作を解除すると、バネ１３４の付勢力によりスライダ１３３が元の位置に戻され、それによりスライダ１３３に当接しているメモリカード２０も収容部１０５内から排出される。
【００４６】
このイジェクト機構１３０に対向して、ハウジング１１０における他方の側壁部１１４側（左側の側壁部１１４側）には、収容部１０５に収容されるメモリカード２０によって開閉する検知スイッチ２００が配設されている。検知スイッチ２００は、メモリカード２０がカードコネクタ１００に挿入されたとき、一対の金属片の接離に基づいて、メモリカードの状態を検出する。
【００４７】
本実施の形態の検知スイッチ２００は、メモリカードの書き込み可否を検知するライトプロテクト（ＷＰ）検知スイッチ２００として説明するが、これに限らず、カードの装着を電気的に検知するスイッチとしてもよい。
【００４８】
ＷＰ検知スイッチ２００は、側壁部１１４側で、メモリカードの挿入方向Ａに沿って配置されている。ＷＰ検知スイッチ２００は、挿入されるメモリカードの一方の面に対向する位置で、収容部１０５に収容されるメモリカード２０の厚み方向で接離する可動端子２１０と固定端子２３０とを有する。
【００４９】
このＷＰ検知スイッチ２００は、側部に形成されたスライド可能な識別片（ＷＰボタン）２６を有するメモリカード２０がカードコネクタ１００に挿入された際に、可動端子２１０、固定端子２３０の接離に基づいて、識別片２６のスライド位置を検出する。
【００５０】
図１０及び図１１に示すように、可動端子２１０及び固定端子２３０は、ガイドレール１１７の一部を切り欠いた部位に、ガイドレール１１７の延在方向に沿って配置されている。言い換えれば、底板部１１２のガイドレール１１７の配置領域内で接離自在に設けられている。なお、ガイドレール１１７は、その中央部分に下方に開口する切り欠き部１１７ｃが形成され、この切り欠き部１１７ｃを挟んで配置された挿入口側レール部１１７ａと、後端側レール部１１７ｂとを有する。後端側レール部１１７ｂには、挿入口側の端部を切り欠いてなる平坦部が設けられ、この平坦部に固定端子２３０のパッド部２３２が配置されている。なお、パッド部２３２の側方の側壁部１１４の部位には、窓部１０４を形成する貫通孔１１４ａが形成されている。
【００５１】
可動端子２１０は、挿入口側レール部１１７ａにおいて挿入方向側の端面から、挿入方向に導出するように基端部側が固定され、固定端子２３０は、可動端子２１０の延長線上に配置されている。
【００５２】
これら可動端子２１０及び固定端子２３０は、可撓性を有し、弾性変形する導電性部材からなり、ここでは帯状の金属板（例えばリン青銅の板金）により形成されている。
【００５３】
可動端子２１０は、底板部１１２に、メモリカード２０の挿入方向に沿って設けられている。可動端子２１０は、収容部１０５内に挿入されるメモリカード２０の押圧によりメモリカード２０の厚み方向に可動して固定端子２３０に接触する。
【００５４】
可動端子２１０は、底板部１１２からメモリカード２０（図２参照）の挿入方向に沿って延在して設けられ、一端部側が底板部１１２に支持されるとともに、他端部が自由端である細長の線状又は帯状の弾性変形可能な部材からなる。可動端子２１０は、他端部と一端部との間に形成され、収容部１０５内に配置されるカード接触部２１２と、他端部に形成される接点部２１４とを有する。
【００５５】
具体的には、可動端子２１０は、長尺の細帯状をなしており、挿入口側レール部１１７ａの端面から切り欠き部１１７ｃ内を通り、奥側レール部１１７ｂ上まで延在し、上下方向にスロトーク可能に配置されている。
【００５６】
可動端子２１０は、第１アーム２１１、カード接触部２１２、第２アーム２１３、接点部２１４、リード部２１５を有する。
【００５７】
可動端子２１０において切り欠き部１１７ｃ内に配置された部位の一部は、収容部１０５内に屈曲されて形成されたカード接触部２１２として機能する。具体的には、カード先端部２１２は、挿入口側レール部１１７ａの端面から導出する第１アーム２１１の先端に形成されている。なお、第１アーム２１１は、図１１に示すように、底板部１１２に埋設された部位を介して、リード部２１５に連続している。リード部２１５は、後端壁部１１６から挿入方向に突出しており、コンタクトピン１４０のリード部１４４とともに並べて配設されている。
【００５８】
カード接触部２１２は、ガイドレール１１４よりも上方に位置し、カードコネクタ１００に挿入されるメモリカード２０の挿入領域、つまり、収容部１０５内に配置されている。このカード接触部２１２は、挿入口側レール部１１７ａから突出する第１アーム２１１の先端を屈曲することで形成されている。これにより、カード接触部２１２は、ハウジング１１０において、収容部１０５に挿入されるメモリカード２０の側辺部の段差部２３と重なる高さ位置若しくは、その位置より高い位置に配置される。
【００５９】
また、本実施の形態では、カード接触部２１２は、挿入されるメモリカード２０の側辺部に形成された凹部２５（図２参照）と重なる位置に配置される。このようにカード接触部２１２は、メモリカード２０が収容部１０５に収容された際に、凹部２５内に位置するように、可動端子２１０に形成されている。
【００６０】
この可動端子２１０の先端部には接点部２１４が形成されている。この接点部２１４は、固定端子２３０に対して上方で離間して配置されている。接点部２１４は、可動端子２１０においてカード接触部２１２の先端から延びる細帯状の金属片（第２アーム２１３）の先端を下方に突出するように折り曲げた形状をなしている。なお、接点部２１４は、固定端子２３０に対してメモリカード２０の厚み方向で対向配置されている。接点部２１４は、挿入されるメモリカード２０により押圧されたカード接触部２１２が底板部１１２側に可動することよって、メモリカード２０の厚み方向に可動して固定端子２３０に接触する。
【００６１】
固定端子２３０は、奥側レール部１１７ｂと底板部１１２との間に水平に埋設されている。ここでは、ハウジング１１０の底板部１１２固定端子２３０では、平坦部で外部に露出するパッド部２３２が、可動端子２１０の接点部２１４と上下方向（メモリカードの厚み方向）で対向している。固定端子２３０は、パッド部２３２と、底板部１１２に埋設された部位を介してパッド部２３２に接続されたリード部２３４とを有する。リード部２３４は、後端壁部１１６から挿入方向に突出している。
【００６２】
このように固定端子２３０のリード部２３４は、コンタクトピン１４０のリード部１４４、可動端子２１０のリード部２１５とともにカードコネクタ１００の背面から一様に並べて配設されている。つまり、固定端子２３０及び可動端子２１０のリード部（一端部）２３４、２１５は、各コンタクトピン１４０のリード部（一端部）１４４とともに、底板部（面部）１１２において挿入方向側の端辺部に沿って立設された後端壁部１１６を介して外方に一列に並んで突出している。
【００６３】
これにより、カードコネクタ１００を基板に実装する場合、カードコネクタ１００と基板上の回路との接続は、カードコネクタ１００の一面側（背面側）から導出されているリード部のみを用いておこなうことができる。つまり、カードコネクタ１００では、コネクタの背面側および側面側の双方からリード部が延出されていないため、カードコネクタ１００の実装領域を狭くできる。これにより、基板上の回路に実装される部品のレイアウトの自由度を向上させることでできる。
【００６４】
ＷＰ検知スイッチ２００は、例えば、可動端子２１０をＶｓ、固定端子２３０をＶｄ、リード部２１５をＶｓｓ端、リード部２３４をＶｄｄ端とて構成してもよい。
【００６５】
このようにＷＰ検知スイッチ２００では、通常時において、可動端子２１０は、カード接触部を収容部１０５内に位置させると共に、先端部の接点部２１４を、固定端子２３０のパッド部２３２の上方で離間して位置させている。
【００６６】
可動端子２１０及び固定端子２３０を備えるＷＰ検知スイッチ２００は、カードコネクタ１００において、カードコネクタ１００の収容部１０５に装着された状態のメモリカード２０の水平投影面積内に設けられている。
【００６７】
なお、可動端子２１０、固定端子２３０を含むＷＰ検知スイッチ２００は、コンタクトピン１４０等のハウジング１１０に設けられる金属部品とともに、インサート成形によってハウジング１１０に一体的に成形されるものである。ここでは、可動端子２１０及び固定端子２３０は、複数のコンタクトピン１４０ととともに金属板を加工することにより形成され、底板部１１２とインサート成形される。なお、各部同士は、成形後必要に応じて絶縁されるものである。このように可動端子２１０、固定端子２３０は、コンタクトピン１４０とともに底板部１１２に成形される。このため、可動端子２１０、固定端子２３０及びコンタクトピン１４０を底板部１１２にセットするだけでよく、可動端子２１０、固定端子２３０及びコンタクトピン１４０の取付作業（詳細には、成形作業）の簡易化を図ることできる。
【００６８】
このカードコネクタ１００のＷＰ検知スイッチ２００の動作について図１２から図１５を用いて説明する。
【００６９】
図１２に示すように、カードコネクタ１００の挿入口１０１からメモリカード２０が挿入されると、挿入されるメモリカード２０は、両側部の段差部２３がガイドレール１１７上の空間部分に挿入される。そして、メモリカード２０は、段差部２３がガイドレール１１７上を挿入方向Ａに移動する。なお、図示しないが段差部２２も、段差部２３の動作と同様に、ガイドレール１１８上の空間部分に挿入されて、ガイドレール１１８上を挿入方向に移動する。
【００７０】
これにより、可動端子２１０では、挿入されるメモリカード２０（ここではメモリカード２０の段差部２３の下面２３ａ）によって、可動端子２１０の接触部２１２における基端側の斜面が挿入方向に押圧される。
【００７１】
すると、可動端子２１０では、接触部２１２が下方に押圧されて、全体として下方に揺動することとなり、接触部２１２の先端側の接点部２１４も下方に移動する。
【００７２】
下方に移動する接点部２１４は、図１３に示すように、下方に位置する固定端子２３０のパッド部２３２に当接し、更に、カード接触部２１２が段差部２３の下面２３ａにより押圧されると、更に下方に移動した状態となる。このとき、可動端子２１０では、上方に突出するように屈曲してなるカード接触部２１２から先端側の部位の折曲部分が延びる。これにより、接点部２１４はパッド部２３２に押圧されつつ、パッド部２３２上を挿入方向に摺動する。
【００７３】
このように、ＷＰ検知スイッチ２００では、メモリカード２０の挿入によって、可動端子２１０は、その先端部である接点部２１４で固定端子２３０に摺動しながら接触する。
【００７４】
接触部２１４は、メモリカード２０が収容部１０５に完全に収容された状態になるまで、段差部２２の下方で、段差部２３によって下方に押圧される。
【００７５】
そして、メモリカード２０が収容部１０５に完全に挿入された（装着状態となった）場合、メモリカード２０の凹部２５では識別片２６は後側に位置しているため、カード接触部２１２は、凹部２５内で開放された前側の位置に位置することとなる。すなわち、カード接触部２１２は、図１４に示すように、メモリカード装着状態において、凹部２５内の前側の位置で、段差部２３による押圧状態が解除されて復元する。これにより、可動端子２１０の接点部２１４は、固定端子２３０のパッド部２３２から離間して、元の位置に戻る。
【００７６】
このようにＷＰ検知スイッチ２００では、装着されるメモリカード２０の凹部２５の前側が開放されている場合、つまり、識別片２６が凹部２５内において書き込み禁止位置に有る場合、固定端子２３０と可動端子２１０との接触状態は解除される。これによりＷＰ検知スイッチ２００では、可動端子２１０と固定端子２３０間の導通が遮断されることとなり、カードコネクタ１００に装着されたメモリカード２０への書き込み禁止であることを検知できる。なお、図１４に示すようにメモリカード２０をカードコネクタ１００に装着した状態では、メモリカード２０の電極２１と、カードコネクタ１００のコンタクトピン１４０とは接触した状態である。
【００７７】
一方、メモリカード２０の凹部２５内で識別片２６が書き込み可能位置にある場合、つまり、凹部２５の前側の位置に識別片２６が位置する場合、ＷＰ検知スイッチ２００はその状態を以下のように検知する。
【００７８】
図１５に示すように、識別片２６が書き込み可能な位置にあるメモリカード２０がカードコネクタ１００に装着されると、カード接触部２１２は、凹部２５内の前側で復元できない。すなわち、カードコネクタ１００にメモリカード２０が装着された状態において、カード接触部２１２は、段差部２３の下面２３ａと略同じ高さ位置の下面を有する識別片２６によって下方に押圧された状態となり、元の位置に復元できない。これにより、可動端子２１０は、メモリカード２０の下方で、固定端子２３０に接触した状態となり、書き込み可能であることを電気的に検知する。なお、図１５に示すようにメモリカード２０をカードコネクタ１００に装着した状態では、メモリカード２０の電極２１と、カードコネクタ１００のコンタクトピン１４０とは接触した状態である。
【００７９】
このように、ＷＰ検知スイッチ２００では、コネクタ本体１０２に固定された固定端子２３０に対して、可動端子２１０が、コネクタ本体１０２に挿入されるメモリカード２０により、メモリカード２０の厚み方向に弾性変形する。この変形によって、可動端子２１０は、固定端子２３０のパッド部２３２に接触する。これにより、メモリカード２０に対する書き込みを禁止する状態を検知する。
【００８０】
本実施の形態のカードコネクタ１００では、ＷＰ検知スイッチ２００は、カードコネクタ１００に装着されたメモリカード２０の水平投影面積内で接離自在に設けられている。
【００８１】
ここでは、ＷＰ検知スイッチ２００は、カードコネクタ１００に装着されたメモリカード２０の下方で、可動端子２１０と固定端子２３０との接離によって、書き込み可否を検知している。なお、これら可動端子２１０と固定端子２３０の接触状態は、窓部１０４（図８、図１１参照）を介してカードコネクタ１００の外部から視認できる。
【００８２】
これにより、可動端子２１０と固定端子２３０とが接触する際の可動領域は、メモリカード２０の下方、詳細には段差部２３の下方であり、収容部１０５の側方に確保する必要がない。
【００８３】
すなわち、カードコネクタ１００では、装着されるメモリカード２０によって可動する可動端子２１０の可動領域を、メモリカード２０の厚み方向でストロークするものとし、且つ、メモリカード２０において電極２１が配設された面と対向する位置に形成している。これにより、ＷＰ検知スイッチ２００において、可動端子２１０と固定端子２３０の可動領域を、コネクタ本体１０２の幅方向で確保する必要が無く、その分、コネクタ本体１０２の幅を小さくできる。よって、従来と異なり、カードコネクタ１００の幅方向に端子の可動領域を形成することがなく、省スペース化を図ることができる。このように本実施の形態のカードコネクタ１００によれば、装着されるメモリカードの形状に近づく形状となるように、より小型化を実現できる。
【００８４】
また、ＷＰ検知スイッチ２００及びコンタクトピン１４０とハウジング１１０とがインサート成形により製造される。このため、ハウジング１１０にＷＰ検知スイッチ２００及びコンタクトピン１４０とハウジング１１０を手組より端子を組み込む必要がなく、薄肉厚のメモリカードコネクタとすることができる。
【００８５】
また、本実施の形態では、ＷＰ検知スイッチ２００をカードコネクタ１００の側壁部分となるハウジングの側壁部１１４に設けた構成としたが、これに限らず、側壁部１１５に設けても良い。この場合、側壁部１１５に設けたイジェクト機構１３０を、側壁部１１４に設け、メモリカードもこれに対応する形態に変更するものとする。
【００８６】
さらに、本実施の形態では、可動端子２１０は、ハウジング１１０の挿入口１０１側を基端として、メモリカード２０の挿入方向に延びる構成としたが、これに限らず、これらを挿入方向に沿って逆の位置に配置してもよい。すなわち、ハウジング１１０の奥側から挿入口１０１側に延在する可動端子２１０と、可動端子２１０の先端部に形成された接点部２１４の下方に配置したパッド部２３２を有する固定端子２３０とで構成する。
【００８７】
なお、本実施の形態におけるＷＰ検知スイッチ２００において、可動端子２１０におけるカード接触部２１２の位置を、メモリカード２０を装着した状態で段差部２３により押圧される位置に配置してもよい。このように配置すれば、ＷＰ検知スイッチ２００は、メモリカード２０の挿抜検知スイッチとして機能する。
【００８８】
また、本実施の形態のカードコネクタ１００は、スタンダードタイプとしたが、これに限らず、リバースタイプのカードコネクタであってもよい。
【産業上の利用可能性】
【００８９】
本発明に係るカードコネクタは、装着されるメモリカードの形状に近づく形状となるように、より小型化を実現できる効果を有し、メモリカード、特にＳＤカード（登録商標）のカードコネクタとして有用である。
【符号の説明】
【００９０】
２０  メモリカード
２１  電極
２２、２３  段差部
２５  凹部
２６  識別片
１００  カードコネクタ
１０１  挿入口
１０２  コネクタ本体
１０５  収容部
１１０  ハウジング
１１６  後端壁部
１１７、１１８  ガイドレール
１４０  コンタクトピン
１４２、２１４  接点部
１４４、２１５、２３４  リード部
２００  ＷＰ検知スイッチ
２１０  可動端子
２１２  カード接触部
２３０  固定端子
２３２  パッド部
【図１】
2012204318.tif 000003
【図２】
2012204318.tif 000004
【図３】
2012204318.tif 000005
【図４】
2012204318.tif 000006
【図５】
2012204318.tif 000007
【図６】
2012204318.tif 000008
【図７】
2012204318.tif 000009
【図８】
2012204318.tif 000010
【図９】
2012204318.tif 000011
【図１０】
2012204318.tif 000012
【図１１】
2012204318.tif 000013
【図１２】
2012204318.tif 000014
【図１３】
2012204318.tif 000015
【図１４】
2012204318.tif 000016
【図１５】
2012204318.tif 000017